(57)【要約】【課題】主制御基板を認証するために用いる期待値を簡単な方法で補正し、かつ主制御基板から周辺基板に対する不正制御や、期待値の流用を防止すること。【解決手段】主制御基板３１０の認証データ生成部３１３は、データ記憶部３１１内のデータを所定のデータ量に分割して認証データを生成する。補正データ生成部３１４は、周辺基板３２０に保持される期待値を補正するための補正データを生成する。送信部３１６は、分割数に基づくタイミングで補正データを送信する。周辺基板３２０の認証部３２３は、主制御基板３１０から受信した認証データを用いて主制御基板３１０に対する認証処理をおこなう。補正部３２４は、認証部３２３による認証が成立した際に２項演算の対象となった認証データの数に基づくタイミングで期待値を補正する。【選択図】図３
2010273730.tif 000002
【特許請求の範囲】
【請求項１】
主制御部と、前記主制御部によって送信された制御コマンドに基づいて所定の処理をおこなう周辺部と、を備える電子機器であって、
前記主制御部は、
所定のデータを記憶するデータ記憶手段と、
前記主制御部を認証するための認証値の生成に用いる前記データの量（以下、「データ量」という）を決定する決定手段と、
前記データ記憶手段内の前記データを前記データ量に分割し、分割した前記データに対してそれぞれ結合法則を満たす２項演算をおこなって、分割した前記データの数（以下、「分割数」という）分の前記認証値を生成する認証値生成手段と、
前記周辺部に保持され、前記主制御部から送信された前記認証値の照合に用いられる期待値を補正するための補正値を生成する補正値生成手段と、
前記分割数分の前記認証値と前記補正値とを前記周辺部に送信する送信手段と、を備え、
前記周辺部は、
前記分割数分の前記認証値と前記補正値とを受信する受信手段と、
前記受信手段によって受信された前記補正値を用いて前記期待値を補正する補正手段と、
前記受信手段によって受信された前記分割数分の前記認証値に対して前記２項演算をおこなった演算結果と前記期待値とが一致するか否かに基づいて前記主制御部を認証する認証手段と、を備え、
前記期待値は、前記データ記憶手段内の全ての前記データに対して前記２項演算をおこなった値であり、
前記送信手段は、前記分割数に基づくタイミングで前記補正値を送信し、
前記補正手段は、前記主制御部に対する前記認証が成立した際に前記２項演算の対象となった前記認証値の数に基づくタイミングで前記期待値を補正することを特徴とする電子機器。
【請求項２】
前記決定手段は、それぞれの前記認証値ごとに前記データ量を決定し、
前記認証値生成手段は、前記認証値ごとにそれぞれ決定された前記データ量分の前記データを用いて当該認証値を生成することを特徴とする請求項１に記載の電子機器。
【請求項３】
前記主制御部は、他の制御基板と交換可能な制御基板であり、
前記補正値生成手段は、前記主制御部が他の前記制御基板に交換された場合、前記補正値を生成することを特徴とする請求項１または２に記載の電子機器。
【請求項４】
前記認証値生成手段は、前記認証値の生成に用いる前記データを変更可能であり、
前記補正値生成手段は、前記認証値の生成に用いる前記データが変更された場合に、前記補正値を生成することを特徴とする請求項１または２に記載の電子機器。
【請求項５】
前記認証値生成手段は、前記認証値の生成に用いる前記２項演算を変更可能であり、
前記補正値生成手段は、前記認証値の生成に用いる前記２項演算が変更された場合に、前記補正値を生成することを特徴とする請求項１または２に記載の電子機器。
【請求項６】
前記補正値生成手段は、変更前の前記期待値と変更後の前記期待値との差分を、前記補正値として生成することを特徴とする請求項１〜５のいずれか一つに記載の電子機器。
【請求項７】
前記送信手段は、前記制御コマンドに前記認証値および前記補正値を付加して前記周辺部に送信することを特徴とする請求項１〜６のいずれか一つに記載の電子機器。
【請求項８】
前記認証値生成手段は、前記認証値が付加される前記制御コマンドを用いて当該認証値を生成することを特徴とする請求項７に記載の電子機器。
【請求項９】
前記主制御部は、
前記認証値および前記補正値を所定の暗号化方法で暗号化する暗号化手段を備え、
前記送信手段は、前記暗号化手段によって暗号化された前記認証値および前記補正値を前記周辺部に送信し、
前記周辺部は、
前記所定の暗号化方法に対応する復号化方法で前記認証値および前記補正値を復号化する復号化手段を備え、
前記認証手段および前記補正手段は、前記復号化手段によって復号化された前記認証値および前記補正値を用いて、前記認証および前記補正をおこなうことを特徴とする請求項１〜８のいずれか一つに記載の電子機器。
【請求項１０】
前記暗号化手段は、前記分割数に基づいて前記暗号化方法を変更し、
前記復号化手段は、前記主制御部に対する前記認証が成立した際に前記２項演算の対象となった前記認証値の数に基づいて前記復号化方法を変更することを特徴とする請求項９に記載の電子機器。
【請求項１１】
前記データ記憶手段は、前記主制御部で用いられるプログラムデータを記憶することを特徴とする請求項１〜１０のいずれか一つに記載の電子機器。
【請求項１２】
前記２項演算は、加算または排他的論理和演算であることを特徴とする請求項１〜１１のいずれか一つに記載の電子機器。
【請求項１３】
請求項１〜１２のいずれか一つに記載の電子機器を備え、前記主制御部は主制御基板であり、前記周辺部は周辺基板であることを特徴とする遊技機。
【請求項１４】
電子機器に搭載され、周辺基板に所定の処理をおこなわせる制御コマンドを送信する主制御基板であって、
所定のデータを記憶するデータ記憶手段と、
前記主制御部を認証するための認証値の生成に用いる前記データの量（以下、「データ量」という）を決定する決定手段と、
前記データ記憶手段内の前記データを前記データ量に分割し、分割した前記データに対してそれぞれ結合法則を満たす２項演算をおこなって、分割した前記データの数（以下、「分割数」という）分の前記認証値を生成する認証値生成手段と  前記周辺部に保持され、前記主制御部から送信された前記認証値の照合に用いられる期待値を補正するための補正値を生成する補正値生成手段と、
前記分割数分の前記認証値と前記補正値とを前記周辺部に送信する送信手段と、を備え、
前記送信手段は、前記分割数に基づくタイミングで前記補正値を送信することを特徴とする主制御基板。
【請求項１５】
電子機器に搭載され、主制御基板によって送信された制御コマンドに基づいて所定の処理をおこなう周辺基板であって、
前記主制御基板を認証するための認証値と前記認証値の期待値を補正する補正値とを前記主制御基板から受信する受信手段と、
前記受信手段によって受信された前記補正値を用いて前記期待値を補正する補正手段と、
前記受信手段によって受信された前記分割数分の前記認証値に対して結合法則を満たす２項演算をおこなった演算結果と前記期待値とが一致するか否かに基づいて前記主制御部を認証する認証手段と、を備え、
前記補正手段は、前記主制御部に対する前記認証が成立した際に前記２項演算の対象となった前記認証値の数に基づくタイミングで前記期待値を補正することを特徴とする周辺基板。
【請求項１６】
主制御部と、前記主制御部によって送信された制御コマンドに基づいて所定の処理をおこなう周辺部と、を備える電子機器における認証方法であって、
前記主制御部において、
前記主制御部を認証するための認証値の生成に用いるデータの量（以下、「データ量」という）を決定する決定工程と、
所定のデータを記憶するデータ記憶手段内のデータを前記データ量に分割し、分割した前記データに対してそれぞれ結合法則を満たす２項演算をおこなって、分割した前記データの数（以下、「分割数」という）分の前記認証値を生成する認証値生成工程と、  前記周辺部に保持され、前記主制御部から送信された前記認証値の照合に用いられる期待値を補正するための補正値を生成する補正値生成工程と、
前記分割数に基づいて前記補正値を送信するタイミングを決定する送信タイミング決定工程と、
前記分割数分の前記補正値を前記周辺部に送信するとともに、前記送信タイミング決定工程で決定されたタイミングで前記補正値を前記周辺部に送信する送信工程と、を含み、
前記周辺部において、
前記分割数分の前記認証値と前記補正値とを受信する受信工程と、
前記受信工程で受信された前記分割数分の前記認証値に対して前記２項演算をおこなった演算結果と前記期待値とが一致するか否かに基づいて前記主制御部を認証する認証工程と、
前記主制御部に対する前記認証が成立した際に前記２項演算の対象となった前記認証値の数に基づくタイミングで前記期待値を補正するタイミングを決定する補正タイミング決定工程と、
前記補正タイミング決定工程で決定されたタイミングで、前記補正値を用いて前記期待値を補正する補正工程と、
を含むことを特徴とする認証方法。
【請求項１７】
請求項１６に記載の認証方法をコンピュータに実行させることを特徴とする認証プログラム。
【発明の詳細な説明】
【技術分野】
【０００１】
この発明は、複数の基板を備え、これらの基板間の通信の認証をおこなう電子機器、遊技機、主制御基板、周辺基板、認証方法および認証プログラムに関する。
【背景技術】
【０００２】
従来、複数の基板を備えた電子機器において、これら各基板に対する不正を防止するための様々な技術が提案されている。複数の基板を備えた電子機器としては、たとえば、ぱちんこ遊技機などがある。ぱちんこ遊技機には、電子機器全体の動作を司る主制御基板と、電子機器の各部の動作をおこなう被制御基板（周辺部）とを備えている。この主制御基板は、周辺部に制御コマンドを含む制御信号を出力し、その他の周辺部は、主制御基板から送信された制御信号にしたがって動作を実行する機能を備えている。
【０００３】
主制御基板に対する不正には、たとえば、正規の主制御基板を不正な制御基板に取り替えたり、主制御基板がおこなう処理を規定したプログラムデータを改ざんしたりするなどの方法がある。このような不正を防止するため、たとえば、主制御基板内に搭載されたＲＯＭに記録されているプログラムデータをＲＯＭチェッカによってチェックして、ＲＯＭの不正交換などを防止する技術が提案されている（たとえば、下記特許文献１参照。）。
【０００４】
また、他の方法としては、表示制御部などの周辺基板内に搭載されたＲＯＭにあらかじめ、他の基板の照合をおこなうための期待値を保持させておき、この期待値と、主制御基板および他の周辺基板のＩＤ（固有の値）の和と、が一致した場合に、他の基板を認証することで、不正な基板が挿入されたことを検知する技術が提案されている（たとえば、下記特許文献２参照。）。
【先行技術文献】
【特許文献】
【０００５】
【特許文献１】特開平１１−３３３１０８号公報
【特許文献２】特開２００５−２１３３０号公報
【発明の概要】
【発明が解決しようとする課題】
【０００６】
しかしながら、上述した特許文献１の技術によれば、プログラムデータの改ざんは検知できるが、正規な主制御基板と被制御基板との間に不正な制御基板が接続されてしまうのを防止することができない。このため、不正な制御基板から出力される制御信号によって、被制御基板が不正な制御をおこなってしまうという問題がある。
【０００７】
ここで、図１５および図１６を用いて、従来技術による不正防止技術について説明する。図１５は、従来技術による不正防止技術の概要を示す説明図である。また、図１６は、不正な制御基板の挿入例を示す説明図である。図１５に示すように、正規の主制御基板１５０１は、周辺基板１５０２に対して正規の制御信号ＲＳを出力して、周辺基板１５０２の動作を制御する。正規の主制御基板１５０１には、検査用ポート１５０３が設けられている。この検査用ポート１５０３から正規の主制御基板１５０１の内部に設けられたＲＯＭなどに記録されたプログラムデータを検査して、正規の主制御基板１５０１に不正がおこなわれていないかを検査する。
【０００８】
ところが、図１６に示すように、正規の主制御基板１５０１と周辺基板１５０２との間に、不正な制御基板１６０１が挿入されてしまう場合がある。不正な制御基板１６０１は、正規の主制御基板１５０１から出力された正規の制御信号ＲＳを破棄または無視し、替わりに不正な制御信号ＦＳを周辺基板１５０２に出力する。ここで、周辺基板１５０２は、入力された信号が、正規の制御信号ＲＳであるか不正な制御信号ＦＳであるかを判別することができない。このため、周辺基板１５０２は、不正な制御信号ＦＳにしたがって動作してしまうという問題がある。
【０００９】
また、検査用ポート１５０３は正規の主制御基板１５０１のみに設けられているため、検査用ポート１５０３を用いた検査をおこなっても、正規の主制御基板１５０１内の処理に対する検査結果が返ってしまう。このため、検査用ポート１５０３を用いた検査をおこなっても、不正な制御基板１６０１による不正制御を検知することができないという問題がある。
【００１０】
また、上述した特許文献２の技術では、不正な制御基板が挿入されたことを検知することができる。しかしながら、基板が変更されると、ＩＤも変わるため、他の基板が変更になる度に、期待値を書き換えなければならないという問題がある。したがって、主制御基板や他の周辺基板の認証をおこなう基板の設定を、主制御基板や他の周辺基板が変更される度に変更しなければならず、手間がかかるという問題がある。
【００１１】
また、特許文献２の技術では、いずれかの基板が変更された場合、変更後の主制御基板や他の周辺基板のＩＤの和で、期待値を自動更新する異常解除スイッチが備えられている。しかしながら、たとえば不正な基板が挿入されているときに異常解除スイッチが操作されると、不正な基板を正規の基板として認証してしまうという問題がある。
【００１２】
この発明は、上述した従来技術による問題点を解消するため、主制御基板を認証するために用いる期待値を簡単な方法で補正し、かつ主制御基板から周辺基板に対する不正制御や、期待値および認証に関する情報の流用を防止することができる電子機器、遊技機、主制御基板、周辺基板、認証方法および認証プログラムを提供することを目的とする。
【課題を解決するための手段】
【００１３】
上述した課題を解決し、目的を達成するため、請求項１の発明にかかる電子機器は、主制御部と、前記主制御部によって送信された制御コマンドに基づいて所定の処理をおこなう周辺部と、を備える電子機器であって、前記主制御部は、所定のデータを記憶するデータ記憶手段と、前記主制御部を認証するための認証値の生成に用いる前記データの量（以下、「データ量」という）を決定する決定手段と、前記データ記憶手段内の前記データを前記データ量に分割し、分割した前記データに対してそれぞれ結合法則を満たす２項演算をおこなって、分割した前記データの数（以下、「分割数」という）分の前記認証値を生成する認証値生成手段と、前記周辺部に保持され、前記主制御部から送信された前記認証値の照合に用いられる期待値を補正するための補正値を生成する補正値生成手段と、前記分割数分の前記認証値と前記補正値とを前記周辺部に送信する送信手段と、を備え、前記周辺部は、前記分割数分の前記認証値と前記補正値とを受信する受信手段と、前記受信手段によって受信された前記補正値を用いて前記期待値を補正する補正手段と、前記受信手段によって受信された前記分割数分の前記認証値に対して前記２項演算をおこなった演算結果と前記期待値とが一致するか否かに基づいて前記主制御部を認証する認証手段と、を備え、前記期待値は、前記データ記憶手段内の全ての前記データに対して前記２項演算をおこなった値であり、前記送信手段は、前記分割数に基づくタイミングで前記補正値を送信し、前記補正手段は、前記主制御部に対する前記認証が成立した際に前記２項演算の対象となった前記認証値の数に基づくタイミングで前記期待値を補正することを特徴とする。
【００１４】
この請求項１の発明によれば、主制御部は、データ記憶手段内のデータの分割数に基づくタイミングで補正値を送信し、周辺部は、主制御部に対する認証が成立した際に２項演算の対象となった認証値の数（結合数）に基づくタイミングで期待値を補正する。分割数および結合数は主制御部および周辺部のみが知る値なので、不正解析者は、認証値の補正に用いる補正値の送信タイミングを知ることができない。これにより、周辺部が保持する認証値を不正解析者に知られることなく補正することができる。また、主制御部と周辺部との間に不正な制御部が挿入された場合、不正な制御部では補正値の送信タイミングがわからずに期待値の補正をおこなうことができない。このため、認証処理において不正な制御部が挿入されたことを検知することができ、不正な制御部による不正な処理を防止することができる。
【００１５】
また、請求項１の発明によれば、分割数そのものを決定するのではなく、認証値の生成に用いるデータ量を決定する。このため、分割数が不正に窃取される可能性を低減することができる。
【００１６】
また、請求項２の発明にかかる電子機器は、請求項１に記載の発明において、前記決定手段は、それぞれの前記認証値ごとに前記データ量を決定し、前記認証値生成手段は、前記認証値ごとにそれぞれ決定された前記データ量分の前記データを用いて当該認証値を生成する。
【００１７】
この請求項２の発明によれば、それぞれの認証値を生成するごとにデータ量を決定することができる。これにより、あらかじめデータ量を決定しておく場合と比較して、分割数が不正に窃取される可能性をさらに低減することができる。
【００１８】
また、請求項３の発明にかかる電子機器は、請求項１または２に記載の発明において、前記主制御部は、他の制御基板と交換可能な制御基板であり、前記補正値生成手段は、前記主制御部が他の前記制御基板に交換された場合、前記補正値を生成することを特徴とする。
【００１９】
この請求項３の発明によれば、主制御部が他の制御基板に交換された場合に、期待値の補正をおこなうことができる。これにより、主制御部が他の制御基板に交換された場合にも、正規な制御基板（主制御部）に対する認証処理を継続させることができる。
【００２０】
また、請求項４の発明にかかる電子機器は、請求項１または２に記載の発明において、前記認証値生成手段は、前記認証値の生成に用いる前記データを変更可能であり、前記補正値生成手段は、前記認証値の生成に用いる前記データが変更された場合に、前記補正値を生成することを特徴とする。
【００２１】
この請求項４の発明によれば、認証値の生成に用いるデータが変更された場合に、期待値の補正をおこなうことができる。これにより、認証値の生成に用いるデータが変更された場合にも、正規な制御基板（主制御部）に対する認証処理を継続させることができる。また、認証値の生成に用いるデータを変更することにより、認証処理の強度を向上させることができる。
【００２２】
また、請求項５の発明にかかる電子機器は、請求項１または２に記載の発明において、前記認証値生成手段は、前記認証値の生成に用いる前記２項演算を変更可能であり、前記補正値生成手段は、前記認証値の生成に用いる前記２項演算が変更された場合に、前記補正値を生成することを特徴とする。
【００２３】
この請求項５の発明によれば、認証値の生成に用いる２項演算が変更された場合に、期待値の補正をおこなうことができる。これにより、認証値の生成に用いる２項演算が変更された場合にも、正規な制御基板（主制御部）に対する認証処理を継続させることができる。また、認証値の生成に用いる２項演算を変更することにより、認証処理の強度を向上させることができる。
【００２４】
また、請求項６の発明にかかる電子機器は、請求項１〜５のいずれか一つに記載の発明において、前記補正値生成手段は、変更前の前記期待値と変更後の前記期待値との差分を、前記補正値として生成することを特徴とする。
【００２５】
この請求項６の発明によれば、変更前の期待値と変更後の期待値との差分を補正値とするため、補正値が不正解析者によって窃取されても、期待値が解読されずに認証処理の強度を向上させることができる。
【００２６】
また、請求項７の発明にかかる電子機器は請求項１〜６のいずれか一つに記載の発明において、前記送信手段は、前記制御コマンドに前記認証値および前記補正値を付加して前記周辺部に送信することを特徴とする。
【００２７】
この請求項７の発明によれば、認証値および補正値を単体で送信する場合と比較して、主制御部と周辺部との間の通信負荷の増大を抑えることができる。また、請求項７の発明によれば、認証値を単体で送信する場合と比較して、通信データ中から認証値が抽出され、解析されてしまう可能性を低減することができる。
【００２８】
また、請求項８の発明にかかる電子機器は、請求項７に記載の発明において、前記認証値生成手段は、前記認証値が付加される前記制御コマンドを用いて当該認証値を生成することを特徴とする。
【００２９】
この請求項８の発明によれば、認証値を付加して送信する制御コマンドを用いて認証値を生成する。一般に、不正な制御部は、正規の主制御部と異なる制御コマンドを送信することによって、周辺基板に不正な動作をおこなわせようとする。請求項８の発明のように、今回送信する制御コマンドを用いて認証値を生成すれば、不正な制御部によって認証値が再利用された場合であっても、認証値と制御コマンドの整合がとれず、不正を検知することができる。
【００３０】
また、請求項９の発明にかかる電子機器は、請求項１〜８のいずれか一つに記載の発明において、前記主制御部は、前記認証値および前記補正値を所定の暗号化方法で暗号化する暗号化手段を備え、前記送信手段は、前記暗号化手段によって暗号化された前記認証値および前記補正値を前記周辺部に送信し、前記周辺部は、前記所定の暗号化方法に対応する復号化方法で前記認証値および前記補正値を復号化する復号化手段を備え、前記認証手段および前記補正手段は、前記復号化手段によって復号化された前記認証値および前記補正値を用いて、前記認証および前記補正をおこなうことを特徴とする。
【００３１】
この請求項９の発明によれば、認証値の生成方法が解析されたり、認証値や補正値が再利用されたりする可能性を低減することができる。
【００３２】
また、請求項１０の発明にかかる電子機器は、請求項９に記載の発明において、前記暗号化手段は、前記分割数に基づいて前記暗号化方法を変更し、前記復号化手段は、前記主制御部に対する前記認証が成立した際に前記２項演算の対象となった前記認証値の数に基づいて前記復号化方法を変更することを特徴とする。
【００３３】
この請求項１０の発明によれば、不正解析者は、認証値の暗号化方法の切り替えタイミングを知ることができず、認証値の生成方法が解析されたり、認証値や補正値が再利用されたりする可能性をさらに低減することができる。
【００３４】
また、請求項１１の発明にかかる電子機器は、請求項１〜１０のいずれか一つに記載の発明において、前記データ記憶手段は、前記主制御部で用いられるプログラムデータを記憶することを特徴とする。
【００３５】
この請求項１１の発明によれば、主制御部に記録されたプログラムデータの不正な書き換えや、主制御部の記憶手段の不正な取り替えなどを検出することができる。
【００３６】
また、請求項１２の発明にかかる電子機器は、請求項１〜１１のいずれか一つに記載の発明において、前記２項演算は、加算または排他的論理和演算であることを特徴とする。
【００３７】
この請求項１２の発明によれば、認証値の生成に用いる２項演算として、加算および排他的論理和演算を切り替えて用いることができる。
【００３８】
また、請求項１３の発明にかかる遊技機は、請求項１〜１２のいずれか一つに記載の電子機器を備え、前記主制御部は主制御基板であり、前記周辺部は周辺基板であることを特徴とする遊技機。
【００３９】
この請求項１３の発明によれば、遊技機の主制御基板は、データ記憶手段内のデータの分割数に基づくタイミングで補正値を送信し、周辺基板は、主制御部に対する認証が成立した際に２項演算の対象となった認証値の数（結合数）に基づくタイミングで期待値を補正する。分割数および結合数は主制御基板および周辺基板のみが知る値なので、不正解析者は、認証値の補正に用いる補正値の送信タイミングを知ることができない。これにより、周辺基板が保持する認証値を不正解析者に知られることなく補正することができる。また、主制御基板と周辺基板との間に不正な制御基板が挿入された場合、不正な制御基板では補正値の送信タイミングがわからずに期待値の補正をおこなうことができない。このため、認証処理において不正な制御基板が挿入されたことを検知することができ、不正な制御基板による不正な処理を防止することができる。
【００４０】
また、請求項１４の発明にかかる主制御基板は、電子機器に搭載され、周辺基板に所定の処理をおこなわせる制御コマンドを送信する主制御基板であって、所定のデータを記憶するデータ記憶手段と、前記主制御部を認証するための認証値の生成に用いる前記データの量（以下、「データ量」という）を決定する決定手段と、前記データ記憶手段内の前記データを前記データ量に分割し、分割した前記データに対してそれぞれ結合法則を満たす２項演算をおこなって、分割した前記データの数（以下、「分割数」という）分の前記認証値を生成する認証値生成手段と、前記周辺部に保持され、前記主制御部から送信された前記認証値の照合に用いられる期待値を補正するための補正値を生成する補正値生成手段と、前記分割数分の前記認証値と前記補正値とを前記周辺部に送信する送信手段と、を備え、前記送信手段は、前記分割数に基づくタイミングで前記補正値を送信することを特徴とする。
【００４１】
この請求項１４の発明によれば、データ記憶手段内のデータの分割数に基づくタイミングで補正値を送信する。分割数は主制御基板のみが知る値なので、不正解析者は、認証値の補正に用いる補正値の送信タイミングを知ることができない。これにより、周辺基板が保持する認証値を不正解析者に知られることなく補正することができる。また、主制御基板と周辺基板との間に不正な制御基板が挿入された場合、不正な制御基板では補正値の送信タイミングがわからずに期待値の補正をおこなうことができない。このため、認証処理において不正な制御基板が挿入されたことを検知することができ、不正な制御基板による不正な処理を防止することができる。
【００４２】
また、請求項１５の発明にかかる周辺基板は、電子機器に搭載され、主制御基板によって送信された制御コマンドに基づいて所定の処理をおこなう周辺基板であって、前記主制御基板を認証するための認証値と前記認証値の期待値を補正する補正値とを前記主制御基板から受信する受信手段と、前記受信手段によって受信された前記補正値を用いて前記期待値を補正する補正手段と、前記受信手段によって受信された前記分割数分の前記認証値に対して結合法則を満たす２項演算をおこなった演算結果と前記期待値とが一致するか否かに基づいて前記主制御部を認証する認証手段と、を備え、前記補正手段は、前記主制御部に対する前記認証が成立した際に前記２項演算の対象となった前記認証値の数に基づくタイミングで前記期待値を補正することを特徴とする。
【００４３】
この請求項１５の発明によれば、主制御基板に対する認証が成立した際に２項演算の対象となった認証値の数（結合数）に基づくタイミングで期待値を補正する。結合数は周辺基板のみが知る値なので、不正解析者は、認証値の補正タイミングを知ることができない。これにより、周辺基板が保持する認証値を不正解析者に知られることなく補正することができる。また、主制御基板と周辺基板との間に不正な制御基板が挿入された場合、不正な制御基板では補正値の送信タイミングがわからずに期待値の補正をおこなうことができない。このため、認証処理において不正な制御基板が挿入されたことを検知することができ、不正な制御基板による不正な処理を防止することができる。
【００４４】
また、請求項１６の発明にかかる認証方法は、主制御部と、前記主制御部によって送信された制御コマンドに基づいて所定の処理をおこなう周辺部と、を備える電子機器における認証方法であって、前記主制御部において、前記主制御部を認証するための認証値の生成に用いるデータの量（以下、「データ量」という）を決定する決定工程と、所定のデータを記憶するデータ記憶手段内のデータを前記データ量に分割し、分割した前記データに対してそれぞれ結合法則を満たす２項演算をおこなって、分割した前記データの数（以下、「分割数」という）分の前記認証値を生成する認証値生成工程と、前記周辺部に保持され、前記主制御部から送信された前記認証値の照合に用いられる期待値を補正するための補正値を生成する補正値生成工程と、前記分割数に基づいて前記補正値を送信するタイミングを決定する送信タイミング決定工程と、前記分割数分の前記補正値を前記周辺部に送信するとともに、前記送信タイミング決定工程で決定されたタイミングで前記補正値を前記周辺部に送信する送信工程と、を含み、前記周辺部において、前記分割数分の前記認証値と前記補正値とを受信する受信工程と、前記受信工程で受信された前記分割数分の前記認証値に対して前記２項演算をおこなった演算結果と前記期待値とが一致するか否かに基づいて前記主制御部を認証する認証工程と、前記主制御部に対する前記認証が成立した際に前記２項演算の対象となった前記認証値の数に基づくタイミングで前記期待値を補正するタイミングを決定する補正タイミング決定工程と、前記補正タイミング決定工程で決定されたタイミングで、前記補正値を用いて前記期待値を補正する補正工程と、を含むことを特徴とする。
【００４５】
この請求項１６の発明によれば、主制御部は、データ記憶手段内のデータの分割数に基づくタイミングで補正値を送信し、周辺部は、主制御部に対する認証が成立した際に２項演算の対象となった認証値の数（結合数）に基づくタイミングで期待値を補正する。分割数および結合数は主制御部および周辺部のみが知る値なので、不正解析者は、認証値の補正に用いる補正値の送信タイミングを知ることができない。これにより、周辺部が保持する認証値を不正解析者に知られることなく補正することができる。また、主制御部と周辺部との間に不正な制御部が挿入された場合、不正な制御部では補正値の送信タイミングがわからずに期待値の補正をおこなうことができない。このため、認証処理において不正な制御部が挿入されたことを検知することができ、不正な制御部による不正な処理を防止することができる。
【００４６】
また、請求項１７の発明にかかる認証プログラムは、請求項１６に記載の認証方法をコンピュータに実行させることを特徴とする。
【００４７】
この請求項１７の発明によれば、請求項１６に記載の認証方法をコンピュータに実行させることができる。
【発明の効果】
【００４８】
本発明にかかる電子機器、遊技機、主制御基板、周辺基板、認証方法および認証プログラムによれば、主制御基板を認証するために用いる期待値を簡単な方法で補正し、かつ主制御基板から周辺基板に対する不正制御や、期待値の流用を防止することができるという効果を奏する。
【図面の簡単な説明】
【００４９】
【図１】本発明のぱちんこ遊技機の遊技盤の一例を示す正面図である。
【図２】ぱちんこ遊技機の制御部の内部構成を示すブロック図である。
【図３】主制御基板および周辺基板の機能的構成を示すブロック図である。
【図４】主制御部による演出制御部の制御処理の手順を示すフローチャートである。
【図５】主制御部による演出制御部の制御処理の手順を示すフローチャートである。
【図６】大当たり関連コマンドの送信タイミングを示すタイムチャートである。
【図７】演出制御部による図柄変動処理の手順を示すフローチャートである。
【図８】演出制御部による大当たり時の処理の手順を示すフローチャートである。
【図９】ランプ制御部による図柄変動時のランプ制御処理の手順を示すフローチャートである。
【図１０】主制御部が出力する制御信号のデータフォーマットを模式的に示す説明図である。
【図１１】主制御部における認証データ（検査値）の生成方法を模式的に示す説明図である。
【図１２】主制御部２０１による制御信号の送信処理の手順を示すフローチャートである。
【図１３】周辺部による制御信号の受信処理の手順を示すフローチャートである。
【図１４】制御部間のデータの流れの一例を示すシーケンス図である。
【図１５】従来技術による不正防止技術の概要を示す説明図である。
【図１６】図１６は、不正な制御基板の挿入例を示す説明図である。
【発明を実施するための形態】
【００５０】
（実施の形態）
以下に添付図面を参照して、この発明にかかる電子機器の機能を有したぱちんこ遊技機と、このぱちんこ遊技機に搭載されている複数の基板間（主制御基板および周辺基板）の制御信号に含まれる制御コマンドを認証する認証方法および認証プログラムの好適な実施の形態を詳細に説明する。
【００５１】
（ぱちんこ遊技機の基本構成）
図１は、本発明のぱちんこ遊技機の遊技盤の一例を示す正面図である。遊技盤１０１の下部位置に配置された発射部（図２参照）の駆動によって発射された遊技球は、レール１０２ａ，１０２ｂ間を上昇して遊技盤１０１の上部位置に達した後、遊技領域１０３内を落下する。遊技領域１０３には、図示を省略する複数の釘が設けられ、遊技球を各種の方向に向けて落下させるとともに、落下途中の位置には、遊技球の落下方向を変化させる風車や、入賞口が配設されている。
【００５２】
遊技盤１０１の遊技領域１０３の中央部分には、図柄表示部１０４が配置されている。図柄表示部１０４としては、たとえば液晶表示器（ＬＣＤ）が用いられる。なお、図柄表示部１０４としては、ＬＣＤに限らずＣＲＴなどを用いることもできる。図柄表示部１０４の下方には、始動入賞させるための始動入賞口１０５が配設されている。図柄表示部１０４の左右には、それぞれ入賞ゲート１０６が配設されている。
【００５３】
入賞ゲート１０６は、遊技球の通過を検出し、始動入賞口１０５を一定時間だけ開放させる抽選をおこなうために設けられる。図柄表示部１０４の側部や下方などには普通入賞口１０７が配設されている。普通入賞口１０７に遊技球が入賞すると、普通入賞時の賞球数（たとえば１０個）の払い出しをおこなう。遊技領域１０３の最下部には、どの入賞口にも入賞しなかった遊技球を回収する回収口１０８が設けられている。
【００５４】
上述した図柄表示部１０４は、特定の入賞口に遊技球が入賞したとき（始動入賞時）に、複数の図柄の表示の変動を開始させ、所定時間後に図柄が停止する。この停止時に特定図柄（たとえば「７７７」）に揃ったとき、大当たり状態となる。大当たり状態のとき、下方に位置する大入賞口１０９が一定の期間開放を所定ラウンド（たとえば１５ラウンド）繰り返し、入賞した遊技球に対応した賞球数を払い出す。
【００５５】
図２は、ぱちんこ遊技機の制御部の内部構成を示すブロック図である。制御部２００は、複数の制御部により構成されている。図示の例では、主制御部２０１と、周辺部（演出制御部２０２、賞球制御部２０３）とを有する。主制御部２０１は、ぱちんこ遊技機の遊技にかかる基本動作を制御する。演出制御部２０２は、遊技中の演出動作を制御する。賞球制御部２０３は、払い出す賞球数を制御する。
【００５６】
主制御部２０１は、ＲＯＭ２１２に記憶されたプログラムデータに基づき、遊技内容の進行に伴う基本処理を実行するＣＰＵ２１１と、ＣＰＵ２１１の演算処理時におけるデータのワークエリアとして機能するＲＡＭ２１３、各検出部２２１〜２２４から各種データを受信するとともに、演出制御部２０２および賞球制御部２０３への各種データの送信をおこなうインタフェース（Ｉ／Ｆ）２１４などを備えて構成される。主制御部２０１は、たとえばいわゆる主制御基板によってその機能を実現する。
【００５７】
この主制御部２０１の入力側には、始動入賞口１０５に入賞した入賞球を検出する始動入賞口検出部２２１と、入賞ゲート１０６を通過した遊技球を検出するゲート検出部２２２と、普通入賞口１０７に入賞した遊技球を検出する普通入賞口検出部２２３と、大入賞口１０９に入賞した入賞球を検出する大入賞口検出部２２４とがＩ／Ｆ２１４を介して接続されている。これらの検出部としては、近接スイッチなどを用いて構成できる。
【００５８】
この主制御部２０１の出力側には、大入賞口開閉部２３１が接続され、この大入賞口開閉部２３１の開閉を制御する。大入賞口開閉部２３１は、大当たり時に大入賞口１０９を一定期間開放する機能であり、ソレノイドなどを用いて構成される。この大当たりは、生成した乱数（大当たり判定用乱数）に基づいて所定の確率（たとえば３００分の１など）で発生するようあらかじめプログラムされている。
【００５９】
演出制御部２０２は、主制御部２０１から各種の制御コマンドを含む制御信号を受け取り、このコマンドに基づいてＲＯＭ２４２に記憶されたプログラムデータを実行して遊技中における演出制御をおこなう。この演出制御部２０２は、演出処理を実行するＣＰＵ２４１と、ＣＰＵ２４１の演算処理時におけるデータのワークエリアとして機能するＲＡＭ２４３、図柄表示部１０４に表示させる画像データを書き込むＶＲＡＭ２４４、主制御部２０１からの各種データの受信およびランプ制御部２５１や音声制御部２５２への各種データの送信をおこなうインタフェース（Ｉ／Ｆ）２４５などを備えて構成される。演出制御部２０２は、たとえばいわゆる演出基板によってその機能を実現する。また、演出制御部２０２の出力側には、上述した図柄表示部（ＬＣＤ）１０４、ランプ制御部２５１、音声制御部２５２がＩ／Ｆ２４５を介して接続されている。
【００６０】
賞球制御部２０３は、主制御部２０１から各種の制御コマンドを含む制御信号を受け取り、このコマンドに基づいてＲＯＭ２８２に記憶されたプログラムデータを実行して賞球制御をおこなう。この賞球制御部２０３は、賞球制御の処理を実行するＣＰＵ２８１と、ＣＰＵ２８１の演算処理時におけるデータのワークエリアとして機能するＲＡＭ２８３、主制御部２０１からの各種データの受信および発射部２９２との各種データの送受信をおこなうインタフェース（Ｉ／Ｆ）２８４などを備えて構成される。賞球制御部２０３は、たとえばいわゆる賞球基板によってその機能を実現する。
【００６１】
賞球制御部２０３は、接続される払出部２９１に対して入賞時の賞球数を払い出す制御をおこなう。また、発射部２９２に対する遊技球の発射の操作を検出し、遊技球の発射を制御する。払出部２９１は、遊技球の貯留部から所定数を払い出すためのモータなどからなる。賞球制御部２０３は、この払出部２９１に対して、各入賞口（始動入賞口１０５、普通入賞口１０７、大入賞口１０９）に入賞した遊技球に対応した賞球数を払い出す制御をおこなう。
【００６２】
発射部２９２は、遊技のための遊技球を発射するものであり、遊技者による遊技操作を検出するセンサと、遊技球を発射させるソレノイドなどを備える。賞球制御部２０３は、発射部２９２のセンサにより遊技操作を検出すると、検出された遊技操作に対応してソレノイドなどを駆動させて遊技球を間欠的に発射させ、遊技盤１０１の遊技領域１０３に遊技球を送り出す。
【００６３】
上記構成の主制御部２０１と、演出制御部２０２と、賞球制御部２０３は、それぞれ異なるプリント基板（主制御基板、演出基板、賞球基板）に設けられる。これに限らず、たとえば、賞球制御部２０３は、主制御部２０１と同一のプリント基板上に設けることもできる。
【００６４】
（主制御基板および周辺基板の機能的構成）
図３は、主制御基板（主制御部）および周辺基板（演出制御部、賞球制御部）の機能的構成を示すブロック図である。まず、主制御部２０１としての機能を有する主制御基板３１０の機能的構成について説明する。図３に示すように、主制御基板３１０は、周辺基板３２０を動作させるための制御コマンドを送信する機能部であり、データ記憶部３１１、決定部３１２、認証データ生成部３１３、補正データ生成部３１４、暗号化部３１５、送信部３１６によって構成される。
【００６５】
データ記憶部３１１は、所定のデータを記憶する。所定のデータとは、たとえば主制御基板３１０で用いられるプログラムデータである。データ記憶部３１１としては、たとえば、主制御部２０１のＲＯＭ２１２（図２参照）の一部を用いることができる。
【００６６】
決定部３１２は、主制御部２０１を認証するための認証データ（認証値）の生成に用いるデータの量（以下、「データ量」という）を決定する。決定部３１２は、たとえば、乱数生成回路や乱数生成プログラムによって生成された値をデータ量として決定したり、主制御基板３１０の他の処理において生成される値を所定のタイミングで参照し、その値をデータ量として決定する。決定部３１２は、たとえば、認証データ生成部３１３が、データ記憶部３１１に記憶されたデータの全てを用いて認証データを生成するまで、データ量を決定する。
【００６７】
認証データ生成部３１３は、データ記憶部３１１内のデータを、決定部３１２によって決定されたデータ量に分割し、分割したデータに対してそれぞれ結合法則を満たす２項演算をおこなって、分割したデータの数（以下、「分割数」という）分の認証値を生成する。結合法則を満たす２項演算とは、たとえば加算または排他的論理和演算である。この場合、認証データ生成部３１３は、加算または排他的論理和演算のいずれかを選択し、分割されたデータのそれぞれに対して選択した演算をおこなって分割数分の認証データを生成する。認証データ生成部３１３は、認証データを生成する際、データ記憶部３１１に記憶された全てのデータを、重複なく用いるようにする。具体的には、たとえば、決定部３１２によって決定された量のデータを、データ記憶部３１１内のアドレスの先頭から順番に読み出して、認証データを生成する。
【００６８】
補正データ生成部３１４は、周辺基板３２０に保持され、主制御基板３１０から送信された認証データの照合に用いられる期待値を補正するための補正データを生成する。期待値とは、たとえば周辺基板３２０にあらかじめ（製造時など）保持されている値であり、周辺基板３２０において主制御基板３１０から送信された認証データの照合に用いる値である。期待値は、具体的には、データ記憶部３１１内の全てのデータに対して認証データ生成部３１３と同じ２項演算をおこなった値である。
【００６９】
補正データ生成部３１４は、たとえば、変更前の期待値と変更後の期待値との差分を補正データとして生成する。このように、変更後の期待値そのものではなく、変更前の期待値との差分を補正データとすることによって、たとえば補正データが不正解析者によって窃取されても、期待値が解読されずに認証処理の強度を向上させることができる。
【００７０】
ここで、期待値の補正が必要な場合とは、たとえば、主制御基板３１０が他の制御基板と交換可能な制御基板であり、主制御基板３１０が他の制御基板に交換された場合や、認証データの生成に用いるデータ記憶部３１１内のデータが変更された場合、認証データの生成に用いる２項演算の種類が変更された場合などである。また、補正データは、認証データと識別できない形式（データフォーマットなど）に生成される。
【００７１】
暗号化部３１５は、認証データおよび補正データを所定の暗号化方法で暗号化する。暗号化部３１５による暗号化方法は任意であるが、暗号化部３１５において複数の暗号化方法を用いることができる場合、分割数に基づいて暗号化方法を変更してもよい。たとえば、暗号化部３１５で２つの暗号化方法を用いることができる場合、分割数が偶数の場合は第１の方法、奇数の場合は第２の方法、というように変更する。また、暗号化部３１５は、制御信号内の制御コマンドを用いて認証データおよび補正データを暗号化するようにしてもよい。
【００７２】
送信部３１６は、分割数分の認証データと補正データとを周辺部３２０に送信する。送信部３１６は、たとえば、主制御基板３１０から周辺基板３２０に送信される制御信号に認証データまたは補正データを付加することにより、認証データを送信する。
【００７３】
ここで、送信部３１６が補正データを送信するタイミングは、分割数に基づいている。具体的には、たとえば、認証データを生成する際の分割数が２である場合、当該認証データを用いた認証処理が成立した後、２回目の認証処理が成立した後に補正データを送信するようにする。分割数は、主制御基板３１０のみが知る値であり、また、認証データと補正データとは識別できない形式で生成される。このため、主制御基板３１０以外の者は、補正データが送信されるタイミングを知ることができず、不正解析者などによって、補正データが不正に窃取されるのを防止することができる。
【００７４】
つぎに、演出制御部２０２や賞球制御部２０３などの周辺部としての機能を有する周辺基板３２０の機能的構成について説明する。図３に示すように、周辺基板３２０は、受信部３２１、復号化部３２２、認証部３２３、補正部３２４によって構成される。
【００７５】
受信部３２１は、主制御基板３１０によって送信された分割数分の認証データと補正データとを受信する。受信部３２１は、たとえば、認証データまたは補正データが付加された制御信号を受信することによって、認証データを受信する。なお、受信部３２１は、受信したデータが認証データであるか補正データであるかは識別しなくてよい。
【００７６】
復号化部３２２は、暗号化部３１５による暗号化方法に対応する復号化方法で認証データおよび補正データを復号化する。復号化部３２２は、暗号化部３１５による暗号化方法が分割数に基づいて変更される場合、主制御基板３１０に対する認証が成立した際に認証部３２３による演算の対象となった認証データの数に基づいて復号化方法を変更する。
【００７７】
認証部３２３は、受信部３２１によって受信された分割数分の認証データに対して２項演算をおこなった演算結果と期待値とが一致するか否かに基づいて主制御基板３１０を認証する。認証部３２３がおこなう２項演算と、主制御基板３１０の認証データ生成部３１４がおこなう２項演算は、同じ種類の２項演算である。この２項演算は結合法則を満たすため、データ記憶部３１１内の全てのデータから生成された期待値と、分割したデータから生成された認証データに対して同じ演算をおこなった値とは一致するはずである。これにより、認証部３２３は、主制御基板３１０の正当性を認証する。
【００７８】
補正部３２４は、受信部３２１によって受信された補正データを用いて期待値を補正する。補正部３２４は、主制御基板３１０に対する認証が成立した際に２項演算の対象となった認証データの数（以下、「結合数」という）に基づくタイミングで期待値を補正する。具体的には、たとえば、認証が成立した際に２項演算の対象となった認証データの数が２である場合、当該認証データを用いた認証処理が成立した後、２回目の認証処理が成立した後に受信したデータを用いて期待値を補正する。
【００７９】
前述のように、認証データと補正データとは識別することができない。しかし、主制御基板３１０に対する認証が成立した際に２項演算の対象となった認証データの数は、分割数と一致するため、補正部３２４は、主制御基板３１０の送信部３１６による補正データの送信タイミングに合わせて認証データを補正することができる。よって、周辺基板３２０は、期待値が変化した場合であっても、正規の主制御基板３１０に対する認証処理を継続することができる。
【００８０】
（ぱちんこ遊技機の基本動作）
上記構成によるぱちんこ遊技機の基本動作の一例を説明する。主制御部２０１は、各入賞口に対する遊技球の入賞状況を制御コマンドとして賞球制御部２０３に出力する。賞球制御部２０３は、主制御部２０１から出力された制御コマンドに応じて、入賞状況に対応した賞球数の払い出しをおこなう。
【００８１】
また、主制御部２０１は、始動入賞口１０５に遊技球が入賞するごとに、対応する制御コマンドを演出制御部２０２に出力し、演出制御部２０２は、図柄表示部１０４の図柄を変動表示させ、停止させることを繰り返す。大当たりの発生が決定しているときには、対応する制御コマンドを演出制御部２０２に出力し、演出制御部２０２は、所定の図柄で揃えて停止させる。このとき同時に、大入賞口１０９を開放する制御をおこなう。演出制御部２０２は、大当たり発生期間中、および大当たり発生までの間のリーチ時や、リーチ予告時などには、図柄表示部１０４に対して、図柄の変動表示に加えて各種の演出表示をおこなう。このほか、各種役物に対して特定の駆動をおこなったり、ランプ２６１の表示状態を変更するなどの演出をおこなう。
【００８２】
そして、大当たり発生時には、大入賞口１０９が複数回開放される。１回の開放が１ラウンドとして、たとえば１５回のラウンドが繰り返し実行される。１ラウンドの期間は、遊技球がたとえば１０個入賞したとき、あるいは所定期間（たとえば３０秒）とされている。この際、賞球制御部２０３は、大入賞口１０９に対する遊技球１個の入賞あたり、たとえば１５個の賞球数で払い出しをおこなう。大当たり終了後は、この大当たり状態が解除され、通常の遊技状態に復帰する。
【００８３】
（各制御部による処理の詳細）
つぎに、各制御部がおこなう各種処理の詳細について説明する。はじめに、主制御部２０１による演出制御部２０２の制御処理について説明する。図４および図５は、主制御部による演出制御部の制御処理の手順を示すフローチャートである。なお、図４〜図９においては、演出制御部２０２の制御処理の手順を明確にするため、補正データ、認証データおよび付随データについては考慮しないものとする。すなわち、図４〜図９の説明において、「コマンドを送信する」とは、「当該コマンドを示すデータ（制御コマンドデータ）を含む制御信号を送信する」との意味であり、たとえば補正データや認証データや付随データ（図１０参照）の有無は考慮しないものとする。
【００８４】
図４および図５のフローチャートにおいて、主制御部２０１は、まず、ぱちんこ遊技機の電源がオンにされるまで待機する（ステップＳ４０１：Ｎｏのループ）。ぱちんこ遊技機の電源がオンにされると（ステップＳ４０１：Ｙｅｓ）、主制御部２０１は、演出制御部２０２や賞球制御部２０３などの周辺部に対して電源オンコマンドを送信する（ステップＳ４０２）。電源オンコマンドが送信されると、演出制御部２０２は、ランプ制御部２５１や音声制御部２５２、図柄表示部１０４のそれぞれに対して電源オン時の演出用の制御コマンド（具体的には、ランプの点灯や音声の出力、デモ画面の表示などを指示する制御コマンド）を送信する。
【００８５】
つぎに、主制御部２０１は、ＲＯＭ２１２またはＲＡＭ２１３に記録されている未抽選入賞回数データを参照して、未抽選入賞回数が０回か否かを判断する（ステップＳ４０３）。未抽選入賞回数とは、始動入賞口に検出された入賞球の数（入賞回数）から、入賞球に対応する抽選がおこなわれた回数（既抽選回数）を減じた数である。未抽選入賞回数が０回の場合（ステップＳ４０３：Ｙｅｓ）、主制御部２０１は、デモが開始されてから経過した時間を計測する（ステップＳ４０４）。
【００８６】
デモが開始されてから所定時間が経過すると（ステップＳ４０５：Ｙｅｓ）、主制御部２０１は、演出制御部２０２に客待ちデモコマンドを送信して（ステップＳ４０６）、ステップＳ４０７に移行する。デモが開始されてから所定時間が経過しない場合は（ステップＳ４０５：Ｎｏ）、そのままステップＳ４０７に移行する。ステップＳ４０６で客待ちデモコマンドが送信されると、演出制御部２０２は、ランプ制御部２５１や音声制御部２５２、図柄表示部１０４に対して客待ちデモ用の制御信号を送信する。また、ステップＳ４０３で、未抽選入賞回数が０回ではない場合は（ステップＳ４０３：Ｎｏ）、ステップＳ４１０に移行する。
【００８７】
つぎに、主制御部２０１は、始動入賞口検出部２２１によって始動入賞口への入賞球が検出されたか否か判断する（ステップＳ４０７）。始動入賞口への入賞球が検出されると（ステップＳ４０７：Ｙｅｓ）、主制御部２０１は、デモが開始されてから計測していた時間をクリアして（ステップＳ４０８）、未抽選入賞回数に１を加える（ステップＳ４０９）。つづいて、主制御部２０１は、大当たり判定用乱数を取得して（ステップＳ４１０）、未抽選入賞回数から１を減算し（ステップＳ４１１）、図５のステップＳ４１２に移行する。また、ステップＳ４０７で、始動入賞口への入賞球が検出されない場合は（ステップＳ４０７：Ｎｏ）、ステップＳ４０４に戻り、以降の処理を継続する。
【００８８】
つぎに、主制御部２０１は、ステップＳ４１０で取得した大当たり判定用乱数が、あらかじめ定められた大当たり乱数であるか否かを判断する（ステップＳ４１２）。大当たり判定用乱数が大当たり乱数である場合（ステップＳ４１２：Ｙｅｓ）、主制御部２０１は、演出制御部２０２に大当たりリーチコマンド（図柄変動コマンド）を送信する（ステップＳ４１３）。主制御部２０１は、図柄変動時間が経過するまで待機して（ステップＳ４１４：Ｎｏのループ）、図柄変動時間が経過すると（ステップＳ４１４：Ｙｅｓ）、演出制御部２０２に図柄停止コマンドを送信する（ステップＳ４１５）。
【００８９】
つぎに、主制御部２０１は、演出制御部２０２に大当たり開始コマンドを送信し（ステップＳ４１６）、つづけて、大当たり中の各ラウンドに対応するコマンド（大当たりコマンド）を順次送信する（ステップＳ４１７）。そして、主制御部２０１は、全てのラウンドの大当たりコマンドの送信が終わると、大当たり終了コマンドを送信して（ステップＳ４１８）、ステップＳ４２２に移行する。
【００９０】
一方、ステップＳ４１２で、大当たり判定用乱数が大当たり乱数でなかった場合（ステップＳ４１２：Ｎｏ）、主制御部２０１は、演出制御部２０２にはずれリーチコマンド（図柄変動コマンド）を送信する（ステップＳ４１９）。主制御部２０１は、図柄変動時間が経過するまで待機して（ステップＳ４２０：Ｎｏのループ）、図柄変動時間が経過すると（ステップＳ４２０：Ｙｅｓ）、演出制御部２０２に図柄停止コマンドを送信する（ステップＳ４２１）。
【００９１】
主制御部２０１は、ぱちんこ遊技機の電源がオフにされるまでは（ステップＳ４２２：Ｎｏ）、図４のステップＳ４０３に戻り、以降の処理を繰り返す。そして、ぱちんこ遊技機の電源がオフにされると（ステップＳ４２２：Ｙｅｓ）、主制御部２０１は、演出制御部２０２に終了処理コマンドを送信して（ステップＳ４２３）、本フローチャートによる処理を終了する。
【００９２】
図６は、大当たり関連コマンド（大当たりリーチコマンド、大当たり開始コマンド、大当たりコマンド、大当たり終了コマンド）の送信タイミングを示すタイムチャートである。大当たりリーチコマンドは、実際に大当たりが発生するよりも頻繁に、かつランダムに送信される。また、大当たり開始コマンドは、実際に大当たりが発生した場合に、大当たり状態に移行する際に１度だけ送信される。また、大当たりコマンドは、大当たり状態に移行した後、ラウンドごとに継続的に送信される。また、大当たり終了コマンドは、大当たり状態の全てのラウンドが終了し、通常の状態に移行する際に１度だけ送信される。
【００９３】
つぎに、演出制御部２０２による処理について説明する。以下では、図柄変動時（大当たりリーチコマンド（図５のステップＳ４１３参照）または、はずれリーチコマンド（図５のステップＳ４１９参照）を受信した場合）および、大当たり時の演出制御部２０２の処理について説明する。
【００９４】
図７は、演出制御部による図柄変動処理の手順を示すフローチャートである。図７のフローチャートにおいて、演出制御部２０２は、まず、図柄変動コマンドである大当たりリーチコマンド（図５のステップＳ４１３参照）、または、はずれリーチコマンド（図５のステップＳ４１９参照）を受信するまで待機する（ステップＳ７０１：Ｎｏのループ）。図柄変動コマンドを受信すると（ステップＳ７０１：Ｙｅｓ）、演出制御部２０２は、変動演出選択用の乱数を取得して（ステップＳ７０２）、取得した乱数に基づいて変動演出の種類を選択する（ステップＳ７０３）。そして、演出制御部２０２は、ランプ制御部２５１や音声制御部２５２に対して変動演出別の演出開始コマンドを送信する（ステップＳ７０４）。
【００９５】
演出制御部２０２は、変動演出の演出時間が経過したか否かや（ステップＳ７０５）、主制御部２０１から図柄停止コマンド（図５のステップＳ４１５，Ｓ４２１参照）を受信したか否かを判断する（ステップＳ７０６）。演出時間が経過した場合（ステップＳ７０５：Ｙｅｓ）、または、図柄停止コマンドを受信した場合（ステップＳ７０６：Ｙｅｓ）、演出制御部２０２は、ランプ制御部２５１や音声制御部２５２に対して演出停止コマンドを送信する（ステップＳ７０７）。また、演出時間が経過せず（ステップＳ７０５：Ｎｏ）、かつ図柄停止コマンドを受信しない場合は（ステップＳ７０６：Ｎｏ）、ステップＳ７０５に戻り、以降の処理を繰り返す。
【００９６】
つぎに、演出制御部２０２の大当たり時の処理について説明する。図８は、演出制御部による大当たり時の処理の手順を示すフローチャートである。図８のフローチャートにおいて、演出制御部２０２は、まず、主制御部２０１から大当たり開始コマンド（図５のステップＳ４１６参照）を受信するまで待機する（ステップＳ８０１：Ｎｏのループ）。大当たり開始コマンドを受信すると（ステップＳ８０１：Ｙｅｓ）、演出制御部２０２は、ランプ制御部２５１や音声制御部２５２に対して大当たり開始処理コマンドを送信する（ステップＳ８０２）。
【００９７】
つぎに、演出制御部２０２は、主制御部２０１からラウンド別の大当たりコマンド（図５のステップＳ４１７参照）を受信するまで待機する（ステップＳ８０３：Ｎｏのループ）。大当たりコマンドを受信すると（ステップＳ８０３：Ｙｅｓ）、演出制御部２０２は、ランプ制御部２５１や音声制御部２５２に対して受信したラウンド別の大当たりコマンドに対応するラウンド別処理コマンドを送信する（ステップＳ８０４）。
【００９８】
つづいて、演出制御部２０２は、主制御部２０１から大当たり終了コマンド（図５のステップＳ４１８参照）を受信するまで待機する（ステップＳ８０５：Ｎｏのループ）。大当たり終了コマンドを受信すると（ステップＳ８０５：Ｙｅｓ）、演出制御部２０２は、ランプ制御部２５１や音声制御部２５２に対して大当たり終了処理コマンドを送信して（ステップＳ８０６）、本フローチャートによる処理を終了する。
【００９９】
つづいて、ランプ制御部２５１によるランプ制御処理について説明する。ここでは、演出制御部２０２から図柄変動コマンドを受信した場合（図柄変動時）の処理について説明する。図９は、ランプ制御部による図柄変動時のランプ制御処理の手順を示すフローチャートである。図９のフローチャートにおいて、ランプ制御部２５１は、まず、演出制御部２０２から演出開始コマンドを受信するまで待機する（ステップＳ９０１：Ｎｏのループ）。
【０１００】
演出制御部２０２から演出開始コマンドを受信すると（ステップＳ９０１：Ｙｅｓ）、ランプ制御部２５１は、コマンド別に用意されているデータを読み出して（ステップＳ９０２）、コマンド別の選択ルーチンを実行し（ステップＳ９０３）、ランプデータをセットする（ステップＳ９０４）。そして、ランプ制御部２５１は、ランプ２６１に対してランプデータを出力する（ステップＳ９０５）。ランプ制御部２５１から出力されたランプデータに基づいて、ランプ２６１は点灯または消灯する。
【０１０１】
ランプ制御部２５１は、演出制御部２０２から演出停止コマンドを受信するまでは（ステップＳ９０６：Ｎｏ）、ステップＳ９０５に戻り、ランプデータの出力を継続する。演出停止コマンドを受信すると（ステップＳ９０６：Ｙｅｓ）、ランプ制御部２５１は、ランプデータの出力を停止して（ステップＳ９０７）、本フローチャートによる処理を終了する。
【０１０２】
なお、図９にはランプ制御部２５１の処理を記載したが、音声制御部２５２による音声制御も、図９の処理とほぼ同様である。音声制御部２５２による音声制御処理は、図９の処理において、ステップＳ９０４，Ｓ９０５，Ｓ９０７の「ランプデータ」を「音声データ」と読み替えればよい。
【０１０３】
このように、演出制御部２０２や賞球制御部２０３などの周辺部は、主制御部２０１によって出力された制御コマンドに基づいて各種の処理をおこなう。一方、たとえば、主制御部２０１と周辺部との間に不正な制御基板が接続された場合（図１６参照）などのように、制御コマンドの出力元が正規の主制御部２０１ではない場合、周辺部は不正な制御基板から出力された不正な制御コマンドによって不正な動作をおこなってしまう。
【０１０４】
これを防止するため、本実施の形態にかかるぱちんこ遊技機では、主制御部２０１と周辺部との間で認証処理をおこなう。より詳細には、周辺部を認証者、主制御部２０１を被認証者とした認証処理をおこない、主制御部２０１から送信される制御信号の正当性を認証する。この認証処理に用いる認証データは、主制御部２０１に記録されているプログラムデータを任意に分割したデータを元に生成されている。この認証処理によって、主制御部２０１が不正な制御基板に交換されたり、主制御部２０１と周辺部との間に不正な制御基板が取り付けられるなどの不正を検知して、ぱちんこ遊技機への不正を防止することができる。
【０１０５】
本実施の形態では、認証データを制御コマンドデータに付加して送信する。認証データを制御コマンドデータに付加することによって、認証データ単体で送信する場合と比較して、主制御部２０１と周辺部との間の通信負荷の増大を抑えることができる。また、認証データを制御コマンドデータに付加することによって、認証データを単体で送信する場合と比較して、通信データ中から認証データが抽出され、解析されてしまう可能性を低減することができる。以下に認証データと制御コマンドデータを含む制御信号のフォーマットについて説明する。
【０１０６】
（制御信号のデータフォーマット）
つづいて、主制御部２０１が周辺基板に出力する制御信号のデータフォーマットについて説明する。図１０は、主制御部が出力する制御信号のデータフォーマットを模式的に示す説明図である。図１０に示すように、主制御部２０１が出力する通常の制御信号１０１０には、制御コマンドデータ１００１および付随データ１００２が含まれている。制御コマンドデータ１００１は、たとえば大当たりリーチコマンドや大当たり開始コマンド、ラウンド別コマンドなどの各コマンド固有のデータである。また、付随データ１００２は、制御コマンドデータ１００１に付随するデータであり、たとえば、入賞した遊技球の数など制御コマンドデータ１００１に基づく処理に必要なデータである。
【０１０７】
また、主制御部２０１は、制御コマンドデータ１００１および付随データ１００２に加え、認証データ１００３または補正データ１００４を含んだ、認証データ付制御信号１０２０または補正データ付制御信号１０３０を周辺基板に出力する。主制御部２０１は、たとえば、制御コマンドデータ１００１が所定のコマンドである場合に、補正データ１００４を含んだ制御信号を周辺基板に出力し、その後、認証データ１００３を含んだ制御信号を周辺基板に出力する。
【０１０８】
このように、認証データ１００３または補正データ１００４を制御信号に含めることによって、認証データ単体または補正データ単体で送信する場合と比較して、主制御部２０１と周辺部との間の通信負荷を減らすことができる。また、認証データ１００３または補正データ１００４を制御信号に含めることによって、認証データ１００３または補正データ１００４を単体で送信する場合と比較して、通信データ中から認証データ１００３または補正データ１００４が抽出され、解析されてしまう可能性を低減することができる。
【０１０９】
認証データ１００３は、制御コマンドデータ１００１および付随データ１００２が正規の主制御部２０１から出力されたものであることを、周辺部が認証するためのデータである。認証データ１００３は、具体的には以下のように生成された値である。
【０１１０】
（認証データ（検査値）の生成方法）
図１１は、主制御部における認証データ（検査値）の生成方法を模式的に示す説明図である。認証データ１００３は、主制御部２０１のＲＯＭ２１２などに記録されたデータを用いて生成する。より詳細には、ＲＯＭ２１２の所定の領域に格納されたデータを、任意のデータ量に分割した上で、分割した領域にそれぞれ格納されたデータに対して結合法則を満たす２項演算（半群演算）をおこなって検査値を算出する。半群演算としては、たとえば、加算や排他的論理和演算などが挙げられる。そして、検査値に対して所定の演算（たとえば、暗号化処理）をおこなって得られた値を認証データとする。なお、検査値を暗号化するか否かは任意であるが、不正防止の観点から暗号化することが望ましい。
【０１１１】
主制御部２０１は、たとえば、１つの検査値を生成するごとに、その生成に用いるデータの量（データ量）を決定する。この場合、主制御部２０１は、ＲＯＭ２１２の所定領域内の全てのデータを用いた検査値の生成が完了するまで、データ量の決定と検査値の生成とをくり返す。このため、いくつの検査値が生成されるか（すなわち、分割数がいくつになるか）は、ＲＯＭ２１２の所定領域内の全てのデータを用いた検査値の生成が完了するまでわからない。
【０１１２】
なお、１つの検査値を生成するごとにデータ量を決定するのではなく、あらかじめ検査値の生成に用いるデータの量を決定しておいてもよい。また、全ての検査値の生成に用いるデータ量を等しくするようにしてもよい。この場合、データ量を決定した時点で分割数が予測可能となる。
【０１１３】
検査値を算出するために用いるデータの種類は任意であるが、たとえば、主制御部２０１のＲＯＭ２１２に記録されたプログラムデータ（命令コードや固定データ）を用いることができる。主制御部２０１のＲＯＭ２１２に記録されたプログラムデータを用いることによって、プログラムデータの不正な書き換えや、主制御部２０１のＲＯＭ２１２の不正な取り替えなどを検出することができる。
【０１１４】
たとえば、図１１に示すプログラムデータ格納部１１００には、１２個のデータ（０ｘ０１〜０ｘ０９，０ｘ０Ａ〜０ｘ０Ｃ、１つのデータのデータ量は１バイト）が格納されている。検査値の生成に用いるデータ量を４バイト、３バイト、５バイトとする場合、プログラムデータ格納部１１００は、たとえば４バイト分のデータを含む第１ブロック１１００ａ、３バイト分のデータを含む第２ブロック１１００ｂ、５バイト分のデータを含む第３ブロック１１００ｃ、の３つに分割できる。すなわち、分割数は３となる。主制御部２０１は、これらの各ブロックに格納されたデータに対してそれぞれ半群演算をおこなって検査値を算出する。なお、上述したデータ量は例示である。
【０１１５】
たとえば、半群演算として加算を用いる方法を方式Ａとすると、第１ブロック１１００ａに格納された４バイト分のデータ０ｘ０１，０ｘ０２，０ｘ０３，０ｘ０４を加算して第１検査値０ｘ０Ａが得られる。同様に、第２ブロック１１００ｂに格納された３バイト分のデータ０ｘ０５，０ｘ０６，０ｘ０７を加算して第２検査値０ｘ１２が、第３ブロック１１００ｃに格納された５バイト分のデータ０ｘ０８，０ｘ０９，０ｘ０Ａ，０ｘ０Ｂ，０ｘ０Ｃを加算して第３検査値０ｘ３２がそれぞれ得られる。
【０１１６】
また、たとえば、半群演算として排他的論理和演算を用いる方法を方式Ｂとすると、第１ブロック１１００ａに格納された４バイト分のデータ０ｘ０１，０ｘ０２，０ｘ０３，０ｘ０４に排他的論理和演算をおこない第１検査値０ｘ０４が得られる。同様に、第２ブロック１１００ｂに格納された３バイト分のデータ０ｘ０５，０ｘ０６，０ｘ０７に排他的論理和演算をおこない第２検査値０ｘ０４が、第３ブロック１１００ｃに格納された５バイト分のデータ０ｘ０８，０ｘ０９，０ｘ０Ａ，０ｘ０Ｂ，０ｘ０Ｃに排他的論理和演算をおこない第３検査値０ｘ０Ｃがそれぞれ得られる。
【０１１７】
そして、得られた検査値に対して暗号化処理をおこなって認証データとする。この暗号化処理の際、検査値とともに、同時に送信される制御コマンドデータ１００１や付随データ１００２に関するデータを含めて暗号化処理をおこなってもよい。制御コマンドデータ１００１や付随データ１００２に関するデータとは、制御コマンドデータ１００１や付随データ１００２そのものや、制御コマンドデータ１００１や付随データ１００２に対してハッシュ関数による演算やパリティチェック、巡回冗長検査（Ｃｙｃｌｉｃ  Ｒｅｄｕｎｄａｎｃｙ  Ｃｈｅｃｋ：ＣＲＣ）、チェックサムなどの演算をおこなって得られた値などである。
【０１１８】
一般に、不正な制御基板は、正規の主制御部２０１と異なる制御コマンドを送信することによって、周辺部に不正な動作をおこなわせようとする。このため、制御コマンドデータ１００１や付随データ１００２を用いて認証データ１００３を生成すれば、不正な制御基板によって認証データ１００３を再利用された場合であっても、認証データ１００３と制御コマンドの整合がとれず、不正を検知することができる。
【０１１９】
一方、認証者である周辺部は、プログラムデータ格納部１１００に格納されたデータ全体に対して半群演算をおこなった値を期待値として保持している。たとえば、方式Ａの場合の期待値は０ｘ０１〜０ｘ０Ｃの和である０ｘ４Ｅとなる。また、方式Ｂの場合の期待値は０ｘ０１〜０ｘ０Ｃの排他的論理和である０ｘ０Ｃとなる。
【０１２０】
周辺部は、受信した認証データ付制御信号１０２０から検査値を取り出して、検査値に対して半群演算をおこなった値を期待値と照合する。検査値は半群演算を用いて生成されているので、分割したプログラムデータから生成した検査値のすべてに対して同じ半群演算をおこなえば、プログラムデータ全体に対して半群演算をおこなった期待値と一致するはずである。検査値に対して半群演算をおこなった値と期待値とが一致すると、周辺部は主制御部２０１を認証する。
【０１２１】
なお、周辺部における半群演算処理は、分割したデータから生成した検査値を結合する処理に対応するため、「結合処理」と呼ぶ。また、認証が成立した際の結合処理に用いた検査値の数を「結合数」という。周辺部における結合数と主制御部２０１における分割数とは同じ数となる。
【０１２２】
図１０の説明に戻り、補正データ１００４は、周辺部が保持する認証データ１００３の期待値を補正する値である。上述のように、認証データ１００３は、主制御部２０１が保持するデータを用いて生成された値であるが、その生成方法には複数の方法があり、それぞれの生成方法に対応する認証データが存在する。また、主制御部２０１が正規のユーザによって他の基板に置き換えられた場合には、認証データ１００３の生成に用いられるデータが異なるため、認証データ１００３の値が異なってくる。補正データ１００４は、このような場合に周辺部で保持する認証データ１００３の期待値を補正するためのデータである。
【０１２３】
補正データ１００４は、たとえば、変更前の認証データ１００３の期待値と変更後の認証データ１００３の期待値との差分データである。補正データ１００４を、変更後の期待値そのものではなく、変更前の期待値との差分データとすることによって、たとえば不正解析者によって制御信号が窃取されても期待値は解読されないため、認証処理の強度を向上させることができる。
【０１２４】
補正データ１００４の送信タイミングは、上述した認証データ１００３の生成に用いた分割数によって決定される。たとえば、認証データ１００３の生成時における分割数が２の場合、当該認証データによる認証処理後２回目の認証処理が成立した後に補正データ１００４を送信するようにする。補正データ１００４の送信タイミング情報（補正タイミング情報）は、たとえば主制御部２０１のＲＯＭ２１２に記憶される。なお、上述した分割数と補正タイミングとの関係は一例であり、主制御部２０１と周辺部との間で任意の取り決めをしておけばよい。
【０１２５】
また、認証データ１００３や補正データ１００４には、認証データ１００３や補正データ１００４とともに送信される制御コマンドデータ１００１や付随データ１００２に関するデータを含ませてもよい。制御コマンドデータ１００１や付随データ１００２に関するデータとは、制御コマンドデータ１００１や付随データ１００２そのものや、制御コマンドデータ１００１や付随データ１００２に対して上述したような誤り検出方式を用いた演算をおこなって得られた値などである。
【０１２６】
一般に、不正な制御基板は、正規の主制御部２０１と異なる制御コマンドを送信することによって、周辺部に不正な動作をおこなわせようとする。認証データ１００３や補正データ１００４とともに送信する制御コマンドデータ１００１や付随データ１００２を用いて認証データ１００３や補正データ１００４を生成すれば、不正な制御基板によって認証データ１００３や補正データ１００４が再利用された場合であっても、認証データ１００３や補正データ１００４と制御コマンドデータ１００１の整合がとれず、不正を検知することができる。
【０１２７】
認証データ１００３や補正データ１００４に制御コマンドデータ１００１や付随データ１００２に関するデータを含ませる場合、主制御部２０１は制御コマンドデータ１００１や付随データ１００２に関するデータと検査値とを合わせて暗号化して、認証データ１００３や補正データ１００４を生成する。
【０１２８】
なお、制御コマンドデータ１００１、付随データ１００２、認証データ１００３または補正データ１００４の並び方は、図１０に示す順番に限らず、たとえば認証データ１００３または補正データ１００４を制御信号の先頭にしたり、制御コマンドデータ１００１と付随データ１００２との間に認証データ１００３または補正データ１００４を挿入してもよい。また、制御コマンドデータ１００１および付随データ１００２とは別個に認証データ１００３を出力することとしてもよい。たとえば、所定のコマンドを含む制御信号を送信した後、１回目の制御信号送信時に補正データ１００４を付加して、３回目の制御信号送信時に認証データ１００３を付加する、などとしてもよい。
【０１２９】
さらに、認証データ１００３や補正データ１００４を含まない通常の制御信号１０１０に、補正データ１００４や認証データ１００３と同程度のサイズのダミーデータ（不図示）を付加してもよい。ここで、ダミーデータは、補正処理や認証処理に用いないデータである。このようにすることで、通常の制御信号１０１０のデータサイズを、認証データ付制御信号１０２０や補正データ付制御信号１０３０と同程度とすることができる。このため、第三者にデータサイズの違いによって認証データ１００３や補正データ１００４が付加されている制御信号を見破られることを防ぐことができる。
【０１３０】
（制御信号の送受信処理）
つづいて、主制御部２０１と周辺部との間でおこなう制御信号の送受信処理について説明する。図１２は、主制御部２０１による制御信号の送信処理の手順を示すフローチャートである。図１２では、認証データの生成時における分割数がＮの場合、当該認証データの送信後、Ｎ回目の認証データの生成および送信をおこなった後に補正データを送信する場合の処理を示している。また、図１２では、検査値（認証データ）を生成するごとに、データ量を決定する場合の処理を示している。
【０１３１】
まず、主制御部２０１は、電源がオンにされるまで待機して（ステップＳ１２０１：Ｎｏのループ）、電源がオンにされると（ステップＳ１２０１：Ｙｅｓ）、補正データの送信タイミングか否かを判断する（ステップＳ１２０２）。具体的には、主制御部２０１は、ＲＯＭ２１２内の補正タイミング情報記憶領域を参照して、補正タイミング情報の値が０であるか否かを判断する。補正データの送信タイミングの場合（ステップＳ１２０２：Ｙｅｓ）、補正データを生成し（ステップＳ１２０３）、周辺部に補正データ付制御信号を送信する（ステップＳ１２０４）。そして、ＲＯＭ２１２内の補正タイミング情報をクリアして（ステップＳ１２０５）、ステップＳ１２１６に移行する。
【０１３２】
ステップＳ１２０２において、補正データの送信タイミングではない場合（ステップＳ１２０２：Ｎｏ）、主制御部２０１は、認証データの送信タイミングか否かを判断する（ステップＳ１２０６）。認証データの送信タイミングの場合（ステップＳ１２０６：Ｙｅｓ）、主制御部２０１は、認証データの元となる検査値の生成に用いるプログラムデータのデータ量を決定する（ステップＳ１２０７）。つぎに、主制御部２０１は、たとえば、プログラムデータ格納部１１００の先頭から、ステップＳ１２０７で決定した量のプログラムデータを読み出し、読み出したデータに対して半群演算をおこなって検査値を算出する（ステップＳ１２０８）。そして、検査値に対して暗号化処理をおこなって認証データを生成する（ステップＳ１２０９）。なお、ステップＳ１２０７〜Ｓ１２０９の処理は、認証データの送信タイミングとなる前におこなっておいてもよい。
【０１３３】
つぎに、主制御部２０１は、生成した認証データを含む認証データ付制御信号を送信する（ステップＳ１２１０）。なお、認証データを生成した直後に送信するのではなく、全ての認証データを生成した後（すなわち、プログラムデータ格納部１１００内の全てのデータを用いて認証データを生成した後）に、認証データの送信を開始してもよい。
【０１３４】
プログラムデータ格納部１１００内の全てのデータを用いて検査値を生成するまで（ステップＳ１２１１：Ｎｏ）、主制御部２０１は、ステップＳ１２０７に戻り、以降の処理をくり返す。ここで、「プログラムデータ格納部１１００内の全てのデータを用いて」とは、プログラムデータ格納部１１００内のデータをもれなく、かつ重複なく用いて、という意味である。２つ目以降の検査値を生成する場合、主制御部２０１は、たとえば、前の検査値生成に用いたプログラムデータの次の領域に書き込まれたデータを、ステップＳ１２０７で決定した量だけ読み出して検査値を生成する。なお、最後の検査値を生成する際は、ステップＳ１２０７で決定したデータ量に足りない可能性があるが、主制御部２０１は、取得できる分のプログラムデータのみを用いて検査値を生成する。
【０１３５】
プログラムデータ格納部１１００内の全てのデータを用いて検査値を生成すると（ステップＳ１２１１：Ｙｅｓ）、主制御部２０１は、次回の補正タイミングが決定しているか否かを判断する（ステップＳ１２１２）。次回の補正タイミングが決定しているかとは、具体的には、ＲＯＭ２１２内の補正タイミング情報記憶領域に値が記憶されているか否かということである。次回の補正タイミングが決定している場合（ステップＳ１２１２：Ｙｅｓ）、主制御部２０１は、補正タイミング情報をマイナス１して（ステップＳ１２１３）、ステップＳ１２１６に移行する。
【０１３６】
一方、ステップＳ１２１２で、次回の補正タイミングが決定していない場合（ステップＳ１２１２：Ｎｏ）、主制御部２０１は、生成した認証データ（検査値）の数、すなわち分割数に基づいて補正タイミングを決定する（ステップＳ１２１４）。具体的には、次回以降分割数回目の認証処理の成立後に補正データを送信するものとして、ＲＯＭ２１２内の補正タイミング情報記憶領域に分割数を記憶させる。
【０１３７】
また、ステップＳ１２０６において、認証データの送信タイミングでない場合（ステップＳ１２０６：Ｎｏ）、主制御部２０１は通常の制御信号を送信する（ステップＳ１２１５）。主制御部２０１は、電源がオフにされるまでは（ステップＳ１２１６：Ｎｏ）、ステップＳ１２０２に戻り、以降の処理を継続する。そして、電源がオフにされると（ステップＳ１２１６：Ｙｅｓ）、本フローチャートによる処理を終了する。
【０１３８】
つぎに、周辺部による制御信号の受信処理について説明する。図１３は、周辺部による制御信号の受信処理の手順を示すフローチャートである。図１３のフローチャートにおいて、周辺部は電源がオンにされるまで待機して（ステップＳ１３０１：Ｎｏのループ）、電源がオンにされると（ステップＳ１３０１：Ｙｅｓ）、主制御部２０１から制御信号を受信するまで待機する（ステップＳ１３０２：Ｎｏのループ）。主制御部２０１から制御信号を受信すると（ステップＳ１３０２：Ｙｅｓ）、周辺部は、受信した制御信号に付加データが含まれているか否かを判断する（ステップＳ１３０３）。付加データとは、図１０に示すように、認証データまたは補正データである。制御信号に付加データが含まれてるか否かの判断は、たとえば、制御信号のデータ量が通常の制御信号よりも多いか否かや、認証データが含まれていることを示すフラグが制御信号に立てられているか否かを判断することによっておこなう。
【０１３９】
制御信号に付加データが含まれている場合（ステップＳ１３０３：Ｙｅｓ）、周辺部は、現在が補正タイミングか否かを判断する（ステップＳ１３０４）。具体的には、周辺部は、ＲＯＭ２４２または２８２内の補正タイミング情報記憶領域を参照して、補正タイミング情報の値が０であるか否かを判断する。補正タイミングの場合（ステップＳ１３０４：Ｙｅｓ）、制御信号内の付加データは補正データであるため、周辺部は、この補正データを用いて期待値を補正する（ステップＳ１３０５）。そして、補正タイミング情報をクリアして（ステップＳ１３０６）、ステップＳ１３２０に移行する。
【０１４０】
一方、ステップＳ１３０４で補正タイミングではない場合（ステップＳ１３０４：Ｎｏ）、制御信号内の付加データは認証データであるため、周辺部は、認証データに復号化処理をおこなって検査値を取得する（ステップＳ１３０７）。周辺部は、取得した検査値を検査値用メモリに格納して（ステップＳ１３０８）、検査値用メモリ内のすべての検査値に対して半群演算（結合処理）をおこなう（ステップＳ１３０９）。検査値用メモリ内の検査値が１つの場合は、結合処理をおこなわずにそのままステップＳ１３１０に移行する。
【０１４１】
そして、周辺部は、演算結果（結合結果）と保持している検査値の期待値とを照合して、結合結果と期待値とが一致するか否かを判断する（ステップＳ１３１０）。結合結果と期待値が一致する場合（ステップＳ１３１０：Ｙｅｓ）、周辺部は、主制御部２０１に対する認証を成立させて（ステップＳ１３１１）、ステップＳ１３１５に移行する。
【０１４２】
一方、ステップＳ１３１０において、検査値の演算結果と期待値が一致しない場合（ステップＳ１３１０：Ｎｏ）、周辺部は、所定数以上の認証データを受信するまで（ステップＳ１３１２：Ｎｏ）、ステップＳ１３０２に戻り、以降の処理を繰り返す。所定数以上の認証データを受信すると（ステップＳ１３１２：Ｙｅｓ）、周辺部は、主制御部２０１に対する認証を不成立とする（ステップＳ１３１３）。所定数は任意の数であるが、たとえば、プログラムデータ格納部１１００に格納可能なデータの数（最大分割数）とすることができる。認証が成立しなかった場合、周辺部は、制御コマンドデータおよび付随データを破棄するとともに、たとえばスピーカ２６２（図２参照）から報知信号を出力して（ステップＳ１３１４）、本フローチャートによる処理を終了する。
【０１４３】
ステップＳ１３１１で主制御部２０１に対する認証が成立した場合、周辺部は、検証値用メモリ内のデータを消去する（ステップＳ１３１５）とともに、次回の補正タイミングが決定しているか否かを判断する（ステップＳ１３１６）。次回の補正タイミングが決定しているかとは、具体的には、ＲＯＭ２４２または２８２内の補正タイミング情報記憶領域に値が記憶されているか否かということである。次回の補正タイミングが決定している場合（ステップＳ１３１６：Ｙｅｓ）、主制御部２０１は、補正タイミング情報をマイナス１して（ステップＳ１３１７）、ステップＳ１３２０に移行する。
【０１４４】
一方、ステップＳ１３１６で、次回の補正タイミングが決定していない場合（ステップＳ１３１６：Ｎｏ）、主制御部２０１は、結合数に基づいて補正タイミングを決定する（ステップＳ１３１８）。具体的には、次回以降分割数回目の認証処理の成立後に期待値の補正をおこなうものとして、ＲＯＭ２４２または２８２内の補正タイミング情報記憶領域に結合数を記憶させる。
【０１４５】
また、ステップＳ１３０３で、制御信号に付加データが含まれていない場合（ステップＳ１３０３：Ｎｏ）、周辺部は、認証処理をおこなわず、そのまま制御コマンドデータおよび付随データに基づく処理をおこなう（ステップＳ１３１９）。電源がオフにされるまで（ステップＳ１３２０：Ｎｏ）、周辺部はステップＳ１３０２に戻り、以降の処理を継続する。そして、電源がオフにされると（ステップＳ１３２０：Ｙｅｓ）、本フローチャートによる処理を終了する。
【０１４６】
（期待値の補正処理の具体例）
つづいて、図１２および図１３に示す処理のうち、期待値の補正処理の具体例について説明する。図１４は、制御部間のデータの流れの一例を示すシーケンス図である。図１４には、図１２および図１３と同様に、認証データの生成時における分割数がＮの場合、当該認証データの送信後Ｎ回目の認証データの生成および送信をおこなった後に補正データを送信する場合の処理を示している。また、図１４では、説明の便宜上、検査値の生成に用いるデータ量を一括して決定するように示しているが、図１２のフローチャートのように、検査値を生成するごとにデータ量を決定してもよい。
【０１４７】
まず、主制御部２０１は、任意の方法で認証データの生成に用いるデータ量を決定する。たとえば、全データ量が１２バイトあり、検査値の生成に用いるデータ量を、それぞれ７バイト、５バイトとすると、２つの検査値を生成することになり、分割数＝２となる（ステップＳ１４０１）。主制御部２０１は、プログラムデータ格納部１１００の先頭から順に７バイト、５バイトのデータを読み出し、それぞれのデータを用いて２つの検査値を算出し、さらに暗号化処理をおこなって２つの認証データを生成する（ステップＳ１４０２）。そして、周辺部に対してそれぞれの認証データを含む２つの認証データ付制御信号を送信する（ステップＳ１４０３）。
【０１４８】
その後、主制御部２０１は、補正タイミング情報に値がない（クリアされている）ため、分割数に基づいて補正データの送信タイミングを決定する（ステップＳ１４０４）。この場合、分割数が２であるため、今回の認証データ付制御信号の送信後、認証データの生成および送信を２回おこなった後に補正データを送信するものとする。すなわち、補正タイミング情報＝２とする。
【０１４９】
つづいて、周辺部における処理について説明する。周辺部は、主制御部２０１から送信された認証データ付制御信号を受信する（ステップＳ１４０５）。そして、認証データ付制御信号内の認証データを復号化して検査値を取得し、結合処理をおこなう（ステップＳ１４０６）。結合結果が期待値と一致すると、周辺部は主制御部２０１に対する認証を成立させる（ステップＳ１４０７）。今回の場合は、２つの検査値を用いて結合処理をおこなった際に期待値と一致するはずである（結合数＝２）。
【０１５０】
その後、周辺部は、補正タイミング情報に値がない（クリアされている）ため、結合数に基づいて期待値の補正タイミングを決定する（ステップＳ１４０８）。この場合、結合数が２であるため、今回の認証処理後２回の認証処理が成立した後に受信したデータを用いて期待値を補正するものとする。すなわち、補正タイミング情報＝２とする。
【０１５１】
２回目の認証処理の説明に移り、主制御部２０１は、再び任意の方法で認証データの生成に用いるデータ量を決定する。たとえば、検査値の生成に用いるデータ量を、それぞれ２バイト、３バイト、２バイト、３バイト、２バイトとすると、５つの検査値を生成することになり、分割数＝５となる（ステップＳ１４０９）。主制御部２０１は、プログラムデータ格納部１１００の先頭から順に２バイト、３バイト、２バイト、３バイト、２バイトのデータを読み出し、それぞれのデータを用いて５つの検査値を算出し、さらに暗号化処理をおこなって５つの認証データを生成する（ステップＳ１４１０）。そして、周辺部に対してそれぞれの認証データを含む５つの認証データ付制御信号を送信する（ステップＳ１４１１）。認証データの送信が終了すると、主制御部２０１は補正タイミング情報を１（２−１＝１）とする。
【０１５２】
つづいて、周辺部は、主制御部２０１から送信された認証データ付制御信号を受信し（ステップＳ１４１２）、認証データ付制御信号内の認証データを復号化して検査値を取得し、結合処理をおこなう（ステップＳ１４１３）。結合結果が期待値と一致すると、周辺部は主制御部２０１に対する認証を成立させる（ステップＳ１４１４）。認証が成立すると、周辺部は補正タイミング情報を１とする（２−１＝１）。
【０１５３】
３回目の認証処理の説明に移り、主制御部２０１は、再び任意の方法で認証データの生成に用いるデータ量を決定する。たとえば、検査値の生成に用いるデータ量を、それぞれ３バイト、４バイト、５バイトとすると、３つの検査値を生成することになり、分割数＝３となる（ステップＳ１４１５）。主制御部２０１は、プログラムデータ格納部１１００の先頭から順に３バイト、４バイト、５バイトのデータを読み出し、それぞれのデータを用いて３つの検査値を算出し、さらに暗号化処理をおこなって３つの認証データを生成する（ステップＳ１４１６）。そして、周辺部に対してそれぞれの認証データを含む３つの認証データ付制御信号を送信する（ステップＳ１４１７）。認証データの送信が終了すると、主制御部２０１は補正タイミング情報を０（１−１＝０）とする。
【０１５４】
つづいて、周辺部は、主制御部２０１から送信された認証データ付制御信号を受信し（ステップＳ１４１８）、認証データ付制御信号内の認証データを復号化して検査値を取得し、結合処理をおこなう（ステップＳ１４１９）。結合結果が期待値と一致すると、周辺部は主制御部２０１に対する認証を成立させる（ステップＳ１４２０）。認証が成立すると、周辺部は補正タイミング情報を０とする（１−０＝０）。
【０１５５】
このように、１回目の認証処理後、２回の認証処理が成立すると、主制御部２０１は、補正タイミング情報＝０であるため、補正データを生成し（ステップＳ１４２１）、周辺部に対して補正データ付制御信号を送信する（ステップＳ１４２２）。なお、補正データ付制御信号と認証データ付制御信号とは、見かけ上区別することができない。この後、主制御部２０１は、補正タイミング情報をクリアする（ステップＳ１４２３）。
【０１５６】
周辺部は、補正データ付制御信号を受信すると（ステップＳ１４２４）、補正タイミング情報＝０であるため、受信した制御信号に含まれる補正データを用いて期待値を補正する（ステップＳ１４２５）。この後、周辺部は補正タイミング情報をクリアする（ステップＳ１４２６）。
【０１５７】
４回目の認証処理の説明に移り、主制御部２０１は、再び任意の方法で認証データの生成に用いるデータ量を決定する。たとえば、検査値の生成に用いるデータ量を、それぞれ２バイト、２バイト、２バイト、２バイト、２バイト、２バイトとすると、６つの検査値を生成することになり、分割数＝６となる（ステップＳ１４２７）。主制御部２０１は、プログラムデータ格納部１１００の先頭から順に２バイト、２バイト、２バイト、２バイト、２バイト、２バイトのデータを読み出し、それぞれのデータを用いて６つの検査値を算出し、さらに暗号化処理をおこなって６つの認証データを生成する（ステップＳ１４２８）。そして、周辺部に対してそれぞれの認証データを含む６つの認証データ付制御信号を送信する（ステップＳ１４２９）。
【０１５８】
その後、主制御部２０１は、補正タイミング情報に値がない（クリアされている）ため、分割数に基づいて補正データの送信タイミングを決定する（ステップＳ１４３０）。この場合、分割数が６であるため、今回の認証データ付制御信号の送信後、認証処理６回分の認証データ付制御信号を送信した後に補正データ付制御信号を送信するものとする。すなわち、補正タイミング情報＝６とする。
【０１５９】
つづいて、周辺部は、主制御部２０１から送信された認証データ付制御信号を受信し（ステップＳ１４３１）、認証データ付制御信号内の認証データを復号化して検査値を取得し、結合処理をおこなう（ステップＳ１４３２）。結合結果が期待値と一致すると、周辺部は主制御部２０１に対する認証を成立させる（ステップＳ１４３３）。
【０１６０】
その後、周辺部は、補正タイミング情報に値がない（クリアされている）ため、結合数に基づいて期待値の補正タイミングを決定する（ステップＳ１４３４）。この場合、結合数が６であるため、今回の認証処理後６回の認証処理が成立した後に受信したデータを用いて期待値を補正するものとする。すなわち、補正タイミング情報＝６とする。
【０１６１】
なお、上述した実施の形態では、検査値の暗号化に際して単一の暗号化方法を用いたが、検査値の生成方式と同様に複数の暗号化方法を切り替えてもよい。これにより、不正解析者によって認証データが解析される可能性を低減することができる。
【０１６２】
以上説明したように、本実施の形態にかかるぱちんこ遊技機は、主制御部において、記憶手段内のデータを分割した分割数に基づくタイミングで補正データを送信し、周辺部において、主制御部に対する認証が成立した際に２項演算の対象となった認証データの数（結合数）に基づくタイミングで期待値を補正する。分割数および結合数は主制御部および周辺部のみが知る値なので、不正解析者は、認証データの補正に用いる補正データの送信タイミングを知ることができない。これにより、周辺部が保持する認証データを不正解析者に知られることなく補正することができる。また、主制御部と周辺部との間に不正な制御部が挿入された場合、不正な制御部では補正データの送信タイミングがわからずに期待値の補正をおこなうことができない。このため、認証処理において不正な制御部が挿入されたことを検知することができ、不正な制御部による不正な処理を防止することができる。
【０１６３】
また、本実施の形態にかかるぱちんこ遊技機は、主制御部において、分割数そのものを決定するのではなく、認証値の生成に用いるデータ量を決定する。このため、分割数が不正に窃取される可能性を低減することができる。
【０１６４】
なお、本実施の形態で説明した主制御部および周辺部の制御方法および認証方法は、あらかじめ用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【０１６５】
以上のように、本発明は、制御部への不正が懸念される電子機器やその電子機器に搭載される制御基板に有用であり、特に、ぱちんこ遊技機、スロット遊技機、その他各種の遊技機に適している。
【符号の説明】
【０１６６】
３１０  主制御基板
３１１  データ記憶部
３１２  決定部
３１３  認証データ生成部
３１４  補正データ生成部
３１５  暗号化部
３１６  送信部
３２０  周辺基板
３２１  受信部
３２２  復号化部
３２３  認証部
３２４  補正部
【図１】
2010273730.tif 000003
【図２】
2010273730.tif 000004
【図３】
2010273730.tif 000005
【図４】
2010273730.tif 000006
【図５】
2010273730.tif 000007
【図６】
2010273730.tif 000008
【図７】
2010273730.tif 000009
【図８】
2010273730.tif 000010
【図９】
2010273730.tif 000011
【図１０】
2010273730.tif 000012
【図１１】
2010273730.tif 000013
【図１２】
2010273730.tif 000014
【図１３】
2010273730.tif 000015
【図１４】
2010273730.tif 000016
【図１５】
2010273730.tif 000017
【図１６】
2010273730.tif 000018